(57)【要約】【課題】方向を間違うことなく記録媒体をホルダ等の保持部分にセットすること。【解決手段】  画像形成装置１は、記録媒体（ロール紙３０）に文字や画像を印字する印字手段と、記録媒体を所定の搬送方向に搬送させる記録媒体搬送手段（搬送モータ７）とを備え、特定動作時において記録媒体の特定位置に識別印を印字する識別印印字手段（印字ヘッド３）を備える。記録媒体に対して主走査方向に移動する形態では、記録媒体を所定の搬送方向に搬送させる記録媒体搬送手段と、記録媒体にインクを吐出して文字や画像を印字する印字ヘッド３と、印字ヘッド３を搭載し所定の走査方向に往復移動するキャリッジ４とを備え、特定動作時において記録媒体の特定位置に識別印３１を印字する識別印印字手段を備える。【選択図】図１
2006167948.tif 000002
【特許請求の範囲】
【請求項１】
記録媒体に文字及び／又は画像を印字する印字手段と、記録媒体を所定の搬送方向に搬送させる記録媒体搬送手段とを備えた画像形成装置において、
特定動作時において前記記録媒体の特定位置に識別印を印字する識別印印字手段を備えることを特徴とする画像形成装置。
【請求項２】
記録媒体を所定の搬送方向に搬送させる記録媒体搬送手段と、
記録媒体にインクを吐出して文字及び／又は画像を印字する可動印字ヘッドと、
前記可動印字ヘッドを搭載し所定の走査方向に往復移動するキャリッジとを備えた画像形成装置において、
特定動作時において前記記録媒体の特定位置に識別印を印字する識別印印字手段を備えることを特徴とする画像形成装置。
【請求項３】
記録媒体を所定の搬送方向に搬送させる記録媒体搬送手段と、
記録媒体に文字及び／又は画像を印字する固定印字ヘッドとを備えた画像形成装置において、
特定動作時において前記記録媒体の特定位置に識別印を印字する識別印印字手段を備えることを特徴とする画像形成装置。
【請求項４】
前記特定動作は、記録媒体の交換動作であることを特徴とする請求項１乃至３の何れかに記載の画像形成装置。
【請求項５】
前記識別印は、記録媒体を記録媒体搬送手段に取り付ける際の取り付け向きを識別する指標であることを特徴とする請求項１乃至４の何れかに記載の画像形成装置。
【請求項６】
前記指標は、記録媒体搬送手段に対する記録媒体の取り付け向き、又は記録媒体の左右を表す文字又は記号であることを特徴とする請求項５に記載の画像形成装置。
【請求項７】
前記記録媒体はロール状に巻かれたロール紙であり、
当該ロール紙を保持するロール紙保持手段を備え、
前記ロール紙保持手段には前記識別印と対応する識別印が付されることを特徴とする請求項１乃至６のいずれかに記載の画像形成装置。
【請求項８】
前記印字ヘッドは、記録媒体の搬送方向の端部近傍に識別印を印字することを特徴とする請求項２乃至７のいずれかに記載の画像形成装置。
【請求項９】
少なくとも記録媒体搬送手段及び印字手段を制御する制御手段を備え、
当該制御手段は、記録媒体の交換要求に基づいて、識別印データを記録手段から読み出して識別印を印字することを特徴とする請求項１乃至８のいずれかに記載の画像形成装置。
【請求項１０】
少なくとも記録媒体搬送手段及び印字手段を制御する制御手段を備え、
当該制御手段は、記録媒体の交換要求に基づいて、前記キャリッジにより前記可動印字ヘッドを所定位置に移動させ、識別印データを記録手段から読み出して識別印を印字することを特徴とする請求項２に記載の画像形成装置。
【請求項１１】
記録媒体を所定の搬送方向に搬送させる記録媒体搬送手段と、
記録媒体にインクを吐出して文字及び／又は画像を印字する印字ヘッドを備えた画像形成装置において、
前記記録媒体の装着部近傍に第１の識別印を具え、前記記録媒体の所定位置に前記第１の識別印に関連する第２の識別印を印字する識別印印字手段を備えることを特徴とする画像形成装置。
【発明の詳細な説明】
【技術分野】
【０００１】
本発明は、画像形成装置に関し、特に記録媒体の交換を行う際の機構に関する。
【背景技術】
【０００２】
コンピュータなどの出力装置の一つとして、記録媒体にインクを吐出して画像を形成するインクジェット画像形成装置が知られている。このインクジェット画像形成装置は、インクを吐出する複数のノズルを有する印字ヘッドと、副走査方向に記録媒体を搬送する記録媒体搬送手段とを備え、記録媒体の副走査方向への搬送と、印字ヘッドによるインク吐出とを所定順に繰り返すことで記録媒体上に文字や画像を印字する。印字ヘッドはキャリッジ上で主走査方向に往復移動する可動構成の他、複数の印字ヘッドを主走査方向に並べた固定構成も知られている。
【０００３】
このようなインクジェット画像形成装置では、記録媒体として、所定の大きさに切断されたカット紙や、ロール状に巻かれたロール紙が用いられる。記録媒体としてロール紙を用いる場合、ロール紙をロール紙ホルダにセットし、当該ロール紙ホルダをインクジェット画像形成装置本体のロール紙ホルダ受けにセットする方法が用いられている。ロール紙は、記録媒体搬送手段により所定の搬送経路を通ってプラテン上に搬送される。プラテン上に搬送されたロール紙は、先端位置を揃えるために、一旦所定の長さの位置で切断される。
【０００４】
上述したインクジェット画像形成装置では、ロール紙をセットする際、ロール紙の巻きの方向が画像形成装置の給紙機構に適した方向に巻かれている必要がある。巻きの方向が間違っていた場合、ロール紙の裏面に印字されてしまう。このような場合には、ロール紙ホルダをロール紙ホルダ受けから外し、さらに外したロール紙ホルダからロール紙を外した後、ロール紙をロール紙ホルダに対して正しい方向にセットし直し、再度ロール紙をロール紙ホルダ受けにセットする必要がある。
【０００５】
この問題を解決するために、ロール紙が正しい方向にセットされていない場合に、ロール紙ホルダを回転させない技術が公開されている（特許文献１）。
【特許文献１】特開平０９−０５２６４５号公報
【発明の開示】
【発明が解決しようとする課題】
【０００６】
しかしながら、近年、インクジェット画像形成装置は大型化し、幅４０インチ以上のロール紙も珍しくはない。そのため、ロール紙のセットは困難を伴う作業となっており、やり直しのないようにできることが望ましい。
【０００７】
上記文献に開示された技術では、裏面への画像形成を防ぐことはできるが、ロール紙をロール紙ホルダにセットする方向の間違いを防ぐことはできない。このため、ロール紙のセット方向を間違えた場合は、前述したようにセットしたロール紙をロール紙ホルダから取り外し、再度セットをし直さなければならないという問題がある。
【０００８】
また、記録媒体がカット紙の場合であっても、カット紙を用紙受けにセットする際において、カット紙のセット方向を正しく設定する必要がある場合があり、このような場合には、上述したロール紙と同様な問題がある。
【０００９】
そこで、本発明は、上述した問題を解決するために成されたものであり、方向を間違うことなく記録媒体をホルダ等の保持部分にセットすることができる画像形成装置を提供することを目的とする。
【課題を解決するための手段】
【００１０】
上述した問題を解決するため、本発明の画像形成装置は、記録媒体に文字や画像を印字する印字手段と、記録媒体を所定の搬送方向に搬送させる記録媒体搬送手段とを備えた画像形成装置において、特定動作時において記録媒体の特定位置に識別印を印字する識別印印字手段を備える構成とする。
【００１１】
画像形成装置の印字手段は、記録媒体に対して主走査方向に移動する形態、あるいは記録媒体に対して主走査方向に沿って固定配置する形態とすることができる。
【００１２】
記録媒体に対して主走査方向に移動する形態では、記録媒体を所定の搬送方向に搬送させる記録媒体搬送手段と、記録媒体にインクを吐出して文字や画像を印字する可動印字ヘッドと、可動印字ヘッドを搭載し所定の走査方向に往復移動するキャリッジとを備えた画像形成装置において、特定動作時において前記記録媒体の特定位置に識別印を印字する識別印印字手段を備える構成とする。
【００１３】
また、記録媒体に対して主走査方向に沿って固定配置する形態では、記録媒体を所定の搬送方向に搬送させる記録媒体搬送手段と、記録媒体に文字や画像を印字するインラインの固定印字ヘッドとを備えた画像形成装置において、特定動作時において前記記録媒体の特定位置に識別印を印字する識別印印字手段を備える構成とする。
【００１４】
識別印印字手段は、画像形成装置が特定動作を行った時に、記録媒体の特定位置に識別印を印字する。特定動作として記録媒体の交換動作とすることで、交換動作によって取り出される記録媒体には識別印が印字される。
【００１５】
識別印は、記録媒体を記録媒体搬送手段に取り付ける際の取り付け向きを識別する指標であり、当該指標は、記録媒体搬送手段に対する記録媒体の取り付け向き、又は記録媒体の左右を表す文字又は記号とすることができる。
【００１６】
利用者は、取り外した記録媒体を再度画像形成装置に取り付ける際に、記録媒体に印字された指標を参照することによって、記録媒体の取り付け向きを容易に識別することができる。
【００１７】
ロール状に巻かれたロール紙を記録媒体とする場合には、画像形成装置はロール紙を保持するロール紙保持手段を備える。ロール紙保持手段には、その一部分の前記識別印と対応する識別印が付される。利用者は、ロール紙保持手段に付加された識別印と記録媒体に印字された識別印とを参照することで、ロール紙をロール紙保持手段に取り付けの向きを誤ることなく取り付けることができる。
【００１８】
印字ヘッドが印字する識別印の位置は、記録媒体の搬送方向の端部近傍とする。この位置とすることで、記録媒体の取り付ける向きの確認を容易とすると共に、記録媒体の有効面積を無駄にすることを防ぐことができる。
【００１９】
また、本発明の画像形成装置は、少なくとも記録媒体搬送手段及び印字手段を制御する制御手段を備える。制御手段は、記録媒体の交換要求に基づいて、識別印データを記録手段から読み出して識別印を印字する。
【００２０】
また、印字ヘッドが走査する印字手段の構成の画像形成装置では、制御手段は、記録媒体の交換要求に基づいて、キャリッジにより可動印字ヘッドを所定位置に移動させ、識別印データを記録手段から読み出して識別印を印字する。
【００２１】
この制御手段の制御によって、記録媒体の交換動作時に識別印を印字することができる。
【００２２】
さらに、本発明は、記録媒体を所定の搬送方向に搬送させる記録媒体搬送手段と、記録媒体にインクを吐出して文字及び／又は画像を印字する印字ヘッドを備えた画像形成装置において、記録媒体の装着部近傍に第１の識別印を具え、記録媒体の所定位置に第１の識別印に関連する第２の識別印を印字する識別印印字手段を備える構成とすることができる。
【発明の効果】
【００２３】
以上述べたように、本発明によれば、方向を間違うことなく記録媒体をホルダ等の保持部分にセットすることができる。
【００２４】
記録媒体がロール紙である場合には、ロール紙の先端にロール紙と対応する識別印を印字する手段を備えたことにより、ロール紙を間違った方向にセットすることを防ぐことができる。また、画像形成装置のロール紙ホルダに左右の識別印を設けておくことにより、ロール紙に印字された識別印と照合を容易とすることができる。
【００２５】
また、再度ロール紙を取り付けた際に廃棄されることになるロール紙先端の切断部分を識別印の印字領域として使用するため、切断廃棄部分を有効利用して、ロール紙の無駄を省くことができる。
【発明を実施するための最良の形態】
【００２６】
以下、本発明を実施するための最良の形態を図を用いて説明する。
【００２７】
図１は本発明の画像形成装置の識別印を印字する構成を説明するための概略図である。なお、図１では、印字ヘッドを主走査方向に走査させると共に、記録媒体を副走査方向に移動させることによって記録媒体上に文字や画像を印字する構成例について示している。また、画像形成装置のその他の構成については省略している。
【００２８】
図１において、画像形成装置１は、キャリッジモータ５により矢印主走査方向に移動可能なキャリッジ４に搭載された印字ヘッド３によって記録媒体３０に画像形成する。
【００２９】
ここで記録媒体３０としてロール状に巻かれたロール紙を用いる構成では、記録媒体３０はロール紙保持手段２０に保持され、搬送モータ７によって矢印副走査方向に搬送される。
【００３０】
ロール紙保持手段２０は、ロール紙ホルダ軸２３と、ロール紙ホルダ軸２３の両端に取り付けられる第１のロール紙ホルダストッパ２１及び第２のロール紙ホルダストッパ２２を備える。ロール紙３０は、その中空軸にロール紙ホルダ軸２３が通され、両端は第１のロール紙ホルダストッパ２１及び第２のロール紙ホルダストッパ２２で保持される。第２のロール紙ホルダストッパ２２は画像形成装置側に固定され、第１のロール紙ホルダストッパ２１はロール紙ホルダ軸２３と共に可動となっている。ロール紙３０は、ロール紙ホルダ軸２３をロール紙３０の中心の中空軸に挿入した後、開放端を第２のロール紙ホルダストッパ２２でふさぐことで保持される。
【００３１】
印字ヘッド３、キャリッジモータ５、及び搬送モータ７の駆動は、プリンタ制御部１０により行われる。プリンタ制御部１０にはホストコンピュータ２が接続され、プリンタ制御部１０に対して印字するための記録データや付随するコマンドが送られる。画像形成装置側に固定された第２のロール紙ホルダストッパ２２には、識別印２４が設けられる。
【００３２】
ロール紙３０の交換を行う場合、搬送モータ７によって識別印を印字する位置にロール紙３０を搬送させると共に、キャリッジモータ５によってキャリッジ４を移動させて印字ヘッド３にて識別印３１を印字する。
【００３３】
そしてロール紙３０を再装填する時には識別印２４と印字された識別印３１とが一致する様に装填すれば、ロール紙３０の装填ミスを防止できる。
【００３４】
図２は、画像形成装置１が備えるプリンタ制御部１０の構成例を説明するためのブロック図である。
【００３５】
図２において、システムバス１８には、装置全体の動作を制御する他に、入力された印字データの解析も行うための処理手段であるＣＰＵ１１、フレームメモリおよび印字データを解析した中間コード用メモリの他、ＣＰＵ１１の作業領域およびデータの一時記憶領域として利用されるＲＡＭ１２、インクジェット画像形成装置等の画像形成装置を駆動するためのプログラムや印字モード等のデータが書き込まれているフラッシュＲＯＭ（Flash ROM）１３が接続される。プログラムはＣＰＵ１１によって実行される。
【００３６】
また、システムバス１８には、外部のコンピュータ端末装置等のホストコンピュータ２等との間で印字データの転送を行うためのインタフェース部（Ｉ／Ｆ）１４、マシンインタフェース等の表示を行うＬＣＤ等の表示手段１５、インクジェット画像形成装置等の画像形成装置の各種設定を選択するための操作キー等を含むキー操作手段１６、画像形成装置の印字制御手段１７が接続される。印字制御手段１７は、印字ヘッド３、キャリッジモータ５、及び搬送モータ７を制御して、印字動作や停止動作を行う。
【００３７】
次に、本発明の画像形成装置により識別印を印字する処理を図３のフローチャートを用いて説明する。この処理は、フラッシュＲＯＭ１３に書き込まれているプログラムをＣＰＵ１１が読み出して実行することにより実現される。
【００３８】
ロール紙３０が画像形成装置にセットされている状態で、キー操作手段１６などからの入力により、ロール紙の交換要求が出されると(Ｓ１)、プログラムはフラッシュＲＯＭ１３内部に保存されている識別印データを読み出す(Ｓ２)。
【００３９】
続いて搬送モータ７によって、ロール紙の先端位置が所定位置となるよう搬送し、印字ヘッド３にて識別印３１をロール紙３０上に印字する(Ｓ３)。
【００４０】
識別印の印字が終了した後、搬送モータ７によりロール紙３０を逆方向に所定量搬送して、ロール紙３０が取り出せるように巻き戻す（Ｓ４）。
【００４１】
図４は、ロール紙保持手段の構成、及び識別印の印字位置を説明するための概略図である。なお、図４では、画像形成装置が備える構成のうちで、ロール紙保持手段及び印字手段についてのみ示し、その他の構成については省略して示している。
【００４２】
ロール紙保持手段２０は、ロール紙ホルダ軸２３が取り付けられたロール紙ホルダストッパ２１と第２のロール紙ホルダストッパ２２とを分離可能な構成とする。この構成により、ロール紙ホルダ軸２３とロール紙ホルダストッパ２１を第２のロール紙ホルダストッパ２２から分離することによりロール紙ホルダ軸２３の一端を開放し、このロール紙ホルダ軸２３の開放端をロール紙３０の中空軸内に挿入し、挿入した後、開放端を第２のロール紙ホルダストッパ２２で閉じることによってロール紙３０のロール紙保持手段２０への取り付けを行う。
【００４３】
ここでは、第２のロール紙ホルダストッパ２２を画像形成装置１の装置側に固定し、第１のロール紙ホルダストッパ２１を可動とする構成によって、ロール紙ホルダストッパ２１と第２のロール紙ホルダストッパ２２とを分離可能としている。
【００４４】
なお、第１のロール紙ホルダストッパ２１及び第２のロール紙ホルダストッパ２２は、取り付けたロール紙の両端位置を設定することによって、用紙の基準位置を定める。
【００４５】
また、ロール紙ホルダストッパ２１はロール紙ホルダ軸２３に移動可能に取り付けられ、ロール紙３０の幅に合わせた位置で固定することができる構成としている。
【００４６】
図４（ａ）は、ロール紙３０をロール紙保持手段２０に取り付けた状態を示している。この状態においてロール紙３０の交換が要求されると、プリンタ制御部１０はこの交換要求を受けてキャリッジモータ５を駆動し、キャリッジ４上の印字ヘッド３を所定位置に移動する。
【００４７】
図４（ｂ）は識別印３１を印字した後の状態を示し、図４（ｃ）はロール紙保持手段２０から取り外したロール紙３０を示している。ロール紙３０の所定位置には識別印３１が印字されることになる。
【００４８】
第２のロール紙ホルダストッパ２２には、識別印３１と対応する識別印２４が設けられている。操作者は、ロール紙保持手段２０から取り外したロール紙３０をロール紙保持手段２０に再度取り付ける際において、ロール紙３０上に印字された識別印３１とロール紙保持手段２０に設けられた識別印２４とを参照することによって、ロール紙の取り付け向きを確認する。
【００４９】
図５は、ロール紙のロール紙保持手段への再取り付けを説明するための概略図である。
【００５０】
図５（ａ）は、ロール紙保持手段２０を構成する要素である、第１のロール紙ホルダストッパ２１、第２のロール紙ホルダストッパ２２、及びロール紙ホルダ軸２３を示し、固定された第２のロール紙ホルダストッパ２２から、第１のロール紙ホルダストッパ２１及びロール紙ホルダ軸２３を取り外した状態を示している。なお、このとき、第１のロール紙ホルダストッパ２１にはロール紙ホルダ軸２３が取り付けられ、ロール紙ホルダ軸２３の第１のロール紙ホルダストッパ２１に対する取り付け位置は、取り付けられるロール紙３０の幅に応じて設定されている。
【００５１】
図５（ｂ）は、取り付けようとするロール紙３０を示し、ロール紙３０には、ロール紙保持手段２０を取り外す際に印字された識別印３１が形成されている。
【００５２】
図５（ｃ）はロール紙を取り付ける際の状態を示している。ロール紙３０をロール紙保持手段２０に取り付ける際には、例えば、ロール紙３０に形成された識別印３１が第２のロール紙ホルダストッパ２２に設けられた識別印２４側になるように、ロール紙ホルダ軸２３をロール紙３０の中空軸内に挿入して、ロール紙の側面を第１のロール紙ホルダストッパ２１に突き当て、次に第１のロール紙ホルダストッパ２１に差し込んでロール紙３０を固定させる。
【００５３】
以上のように、ロール紙ホルダとロール紙に付与された識別印を合わせることで、容易にロール紙をロール紙ホルダに正しい方向にセットすることができる。
【００５４】
識別印３１が印字されていない場合には、ロール紙３０の取り付け方向が逆となる場合があり、このときにはロール紙３０を外した後に、ロール紙３０の向きを変更し、再び取り付け操作を行う必要がある。この状態において、本発明の画像形成装置によれば、ロール紙３０上に識別印３１が形成されているため、ロール紙の誤取り付けを避けることができる。
【００５５】
本発明において、ロール紙上に形成する識別印の位置は、前記した例のように第２のロール紙ホルダストッパ２２側に設ける他、第１のロール紙ホルダストッパ２１側に形成してもよい。図６は識別印を第１のロール紙ホルダストッパ２１側に形成する例を示している。
【００５６】
図６（ａ）は、ロール紙３０をロール紙保持手段２０に取り付けた状態を示している。図６（ａ）に示すように、第１のロール紙ホルダストッパ２１に識別印２５を設けることで、ロール紙３０上に形成する識別印３２の対応付けを行う。
【００５７】
この状態においてロール紙３０の交換が要求されると、プリンタ制御部１０はこの交換要求を受けてキャリッジモータ５を駆動し、キャリッジ４上の印字ヘッド３を所定位置に移動し、ロール紙３０上にフラッシュＲＯＭ１３から読み出した識別印のデータを用いて印字する。
【００５８】
図６（ｂ）は識別印３２を印字した後の状態を示し、図６（ｃ）はロール紙保持手段２０から取り外したロール紙３０を示している。ロール紙３０の所定位置には識別印３２が印字されることになる。
【００５９】
なお、上述した例では、ロール紙に形成した識別印と対応する識別印を第１のロール紙ホルダストッパ２１あるいは第２のロール紙ホルダストッパ２２に設ける構成について示しているが、必ずしもロール紙ホルダストッパ側に識別印を設ける必要はなく、ロール紙上のみに識別印を形成する構成とすることができる。
【００６０】
この構成は、識別印が形成された位置と、ロール紙の取り付け向きとの関係が予め操作者に認識されていたり、ロール紙上に形成された識別印自体からロール紙の取り付ける向きが認識できるような識別印の内容とすることで対応することができる。
【００６１】
図７はロール紙ホルダストッパ側に識別印を設ける必要がない場合のロール紙上に形成する識別印の例である。
【００６２】
図７（ａ）に示す例は、ロール紙の取り付け向きとの関係が予め操作者に認識されている場合であり、ロール紙３０上にのみ識別印３１を形成する。このときには、例えばこの識別印３１が付された側の方向を固定された第２のロール紙ホルダストッパ２２に対応付けることが予め認識されている。また、図７（ａ）と逆方向に識別印を設けるようにしてもよい。この場合には、例えばこの識別印３１が付された側と反対側の方向を固定された第２のロール紙ホルダストッパ２２に対応付けることが予め認識されているものとする。
【００６３】
図７（ｂ）に示す例は、ロール紙３０上にロール紙の取り付け向きを表す文字が形成される例である。識別印３３は例えば「固定ストッパ側です」の語句であり、識別印３４は例えば「可動ストッパ側です」の語句である。なお、この向きを表す語句を形成する場合には、両側に形成する必要はなく、片側にのみ形成するようにしてもよい。
【００６４】
図７（ｃ）に示す例は、図７（ｂ）と同様に、ロール紙３０上にロール紙の取り付け向きを表す文字が形成される例である。識別印３５は例えば「左側です」の語句であり、識別印３６は例えば「右側です」の語句である。なお、この場合においても、両側に形成する必要はなく、片側にのみ形成するようにしてもよい。
【００６５】
前記した例では、印字ヘッドはキャリッジ上で移動する可動印字ヘッドを用いた構成について示しているが、識別印を形成する印字手段は、識別印用に用意したヘッドを用いても良い。
【００６６】
なお、識別印の形成は印字手段に限らず他の手段としてもよい。例えば、ロール紙に凹凸形状を形成する凸部あるいは凹部をロール紙に対して押し当てる構成とし、これによってロール紙の所定位置に凹凸形状を形成し、この凹凸形状によってロール紙の取り付ける向きを識別することができる。
【００６７】
又、ロール紙装着部への識別印は、上記方法に限られたものでなくロール紙装着方向を識別できるものであれば良い。
【００６８】
更に、ロール紙上の識別印の印字形態によっては、ロール紙装着部への識別印を省略できることもある。
【産業上の利用可能性】
【００６９】
本発明の画像形成装置は、インクを吐出することで印字を行うインクジェット画像形成装置に限らず、他の印字方法による記録装置に適用することができる。
【００７０】
また、本発明の画像形成装置は、ロール状に巻かれたロール紙の他、カット紙の記録媒体に適用することができる。
【図面の簡単な説明】
【００７１】
【図１】本発明の画像形成装置の識別印を印字する構成を説明するための概略図である。
【図２】本発明の画像形成装置が備える制御手段の構成例を説明するためのブロック図である。
【図３】本発明の画像形成装置により識別印を印字する処理を説明するためのフローチャートである。
【図４】本発明のロール紙保持手段の構成、及び識別印の印字位置を説明するための概略図である。
【図５】本発明のロール紙のロール紙保持手段への再取り付けを説明するための概略図である。
【図６】本発明の識別印を第１のロール紙ホルダストッパ側に形成する例を示す図である。
【図７】本発明のロール紙ホルダストッパ側に識別印を設ける必要がない場合のロール紙上に形成する識別印の例である。
【符号の説明】
【００７２】
１  画像形成装置
２  ホストコンピュータ
３  印字ヘッド
４  キャリッジ
５  キャリッジモータ
７  搬送モータ
１０  プリンタ制御部
１１  ＣＰＵ
１２  ＲＡＭ
１３  フラッシュＲＯＭ（Flash ROM）
１４  インタフェース部(I/F)
１５  液晶表示手段(LCD)
１６  キー操作手段(KEY)
１７  印字制御手段
１８  システムバス
２０  ロール紙保持手段
２１  第１のロール紙ホルダストッパ
２２  第２のロール紙ホルダストッパ
２３  ロール紙ホルダ軸
２４  識別印
２５  識別印
３０  ロール紙
３１〜３６  識別印
【図２】
2006167948.tif 000003
【図３】
2006167948.tif 000004
【図４】
2006167948.tif 000005
【図５】
2006167948.tif 000006
【図６】
2006167948.tif 000007
【図７】
2006167948.tif 000008
【図１】
2006167948.tif 000009